(57)【要約】【課題】台紙に付箋の貼り付けを行うと新着付箋としての表示を行う場合にあって、その新着付箋の状態が変化したにもかかわらず新着付箋としての表示を続けることを抑制するようにした情報処理装置を提供する。【解決手段】情報処理装置の受付手段は、台紙に貼り付ける付箋を示す付箋情報を受け付け、表示手段は、前記受付手段によって受け付けられた付箋情報を新着付箋として台紙上に表示し、検知手段は、前記新着付箋の状態が変化したことを検知し、変更手段は、前記検知手段によって検知された新着付箋の表示を非新着付箋の表示へと変更させる。【選択図】図１
2015087789.tif 000002
【特許請求の範囲】
【請求項１】
台紙に貼り付ける付箋を示す付箋情報を受け付ける受付手段と、
前記受付手段によって受け付けられた付箋情報を新着付箋として台紙上に表示する表示手段と、
前記新着付箋の状態が変化したことを検知する検知手段と、
前記検知手段によって変化が検知された新着付箋の表示を非新着付箋の表示へと変更させる変更手段
を具備することを特徴とする情報処理装置。
【請求項２】
前記検知手段は、前記新着付箋が前記受付手段によって受け付けられたときを起点とした経過時間が予め定められた値以上又はより大である場合は、該新着付箋の状態が変化したと検知する
ことを特徴とする請求項１記載の情報処理装置。
【請求項３】
前記検知手段は、前記新着付箋が前記台紙上で移動された場合は、該新着付箋の状態が変化したと検知する
ことを特徴とする請求項１記載の情報処理装置。
【請求項４】
前記検知手段は、前記新着付箋が前記台紙上で拡大され、元の大きさに戻された場合は、該新着付箋の状態が変化したと検知する
ことを特徴とする請求項１記載の情報処理装置。
【請求項５】
前記検知手段は、前記新着付箋が他の付箋とグループを形成した場合は、該新着付箋の状態が変化したと検知する
ことを特徴とする請求項１記載の情報処理装置。
【請求項６】
前記検知手段は、操作者の操作による新着付箋の移動速度又は新着付箋の選択の圧力を検知し、移動終了時の移動速度がそれまでの移動速度に比較して遅くなった場合、又は移動終了時の圧力がそれまでの圧力に比較して大きくなった場合は、該新着付箋の状態が変化したと検知する
ことを特徴とする請求項１記載の情報処理装置。
【請求項７】
前記検知手段は、前記新着付箋が前記台紙上で他の付箋と重なっていた状態から移動した場合は、該新着付箋の状態が変化したとは検知しない
ことを特徴とする請求項３記載の情報処理装置。
【請求項８】
前記検知手段は、前記新着付箋が前記台紙上で他の付箋と共に位置関係を保った移動をした場合は、該新着付箋の状態が変化したとは検知しない
ことを特徴とする請求項３記載の情報処理装置。
【請求項９】
前記検知手段は、請求項２から８の検知手法のうち２つ以上を組み合わせた
ことを特徴とする請求項１記載の情報処理装置。
【請求項１０】
前記検知手段が、新着付箋の表示を非新着付箋の表示へと変更した後に、前記付箋の内容の変更を検知した場合、該付箋を前記グループから外した場合、又は該付箋を他の付箋と重ねた場合は、該付箋の状態が新着の状態へと変化したと検知し、
前記変更手段は、前記検知手段が前記付箋の状態が新着の状態へと変化したと検知した場合は、前記付箋の非新着付箋の表示を新着付箋の表示に戻す
ことを特徴とする請求項１から９のいずれか１項に記載の情報処理装置。
【請求項１１】
コンピュータを、
台紙に貼り付ける付箋を示す付箋情報を受け付ける受付手段と、
前記受付手段によって受け付けられた付箋情報を新着付箋として台紙上に表示する表示手段と、
前記新着付箋の状態が変化したことを検知する検知手段と、
前記検知手段によって変化が検知された新着付箋の表示を非新着付箋の表示へと変更させる変更手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、ショートカットの未読・既読管理を行える文書管理装置、文書管理方法及び文書管理プログラムが格納された記憶媒体を提供することを課題とし、制御部は、文書の参照、又は、ショートカットの「リンク先を開く」のどちらが選択されているかを判断し、ショートカットの「リンク先を開く」が選択された場合、選択されたショートカットのリンク先の文書ＩＤをショートカット情報記憶部より取得し、次に、ショートカット情報記憶部より参照された文書の文書ＩＤがリンク先文書ＩＤであるショートカットＩＤを検索し、検索の結果、ショートカットＩＤが表示された場合、検索された全てのショートカットに対して、未読・既読情報を既読に更新し、指定された文書ＩＤがリンク先文書ＩＤである次のショートカットＩＤを探して、全てのショートカットＩＤを検索して更新するまで更新処理を実行することが開示されている。
【０００３】
特許文献２には、ユーザの円滑な作業を促進して利便性の高い会議支援システムを提供することを課題とし、ＣＰＵは、端末装置から書込データを受信したかどうかを判断し、ＣＰＵは、端末装置から書込データを受信したと判断した場合には、次に、端末装置から図形データを受信したかどうかを判断し、ＣＰＵは、図形データを受信したと判断した場合には、図形データに基づいて一致する位置関連情報があるかどうかを判断し、ＣＰＵは、一致する位置関連情報があると判断した場合には、位置関連情報に対応する領域に書込データを表示することが開示されている。
【先行技術文献】
【特許文献】
【０００４】
【特許文献１】特開２００２−２６９０７７号公報
【特許文献２】特開２０１１−０９０４８６号公報
【発明の概要】
【発明が解決しようとする課題】
【０００５】
本発明は、台紙に付箋の貼り付けを行うと新着付箋としての表示を行う場合にあって、その新着付箋の状態が変化したにもかかわらず新着付箋としての表示を続けることを抑制するようにした情報処理装置及び情報処理プログラムを提供することを目的としている。
【課題を解決するための手段】
【０００６】
かかる目的を達成するための本発明の要旨とするところは、次の各項の発明に存する。
請求項１の発明は、台紙に貼り付ける付箋を示す付箋情報を受け付ける受付手段と、前記受付手段によって受け付けられた付箋情報を新着付箋として台紙上に表示する表示手段と、前記新着付箋の状態が変化したことを検知する検知手段と、前記検知手段によって変化が検知された新着付箋の表示を非新着付箋の表示へと変更させる変更手段を具備することを特徴とする情報処理装置である。
【０００７】
請求項２の発明は、前記検知手段は、前記新着付箋が前記受付手段によって受け付けられたときを起点とした経過時間が予め定められた値以上又はより大である場合は、該新着付箋の状態が変化したと検知することを特徴とする請求項１記載の情報処理装置である。
【０００８】
請求項３の発明は、前記検知手段は、前記新着付箋が前記台紙上で移動された場合は、該新着付箋の状態が変化したと検知することを特徴とする請求項１記載の情報処理装置である。
【０００９】
請求項４の発明は、前記検知手段は、前記新着付箋が前記台紙上で拡大され、元の大きさに戻された場合は、該新着付箋の状態が変化したと検知することを特徴とする請求項１記載の情報処理装置である。
【００１０】
請求項５の発明は、前記検知手段は、前記新着付箋が他の付箋とグループを形成した場合は、該新着付箋の状態が変化したと検知することを特徴とする請求項１記載の情報処理装置である。
【００１１】
請求項６の発明は、前記検知手段は、操作者の操作による新着付箋の移動速度又は新着付箋の選択の圧力を検知し、移動終了時の移動速度がそれまでの移動速度に比較して遅くなった場合、又は移動終了時の圧力がそれまでの圧力に比較して大きくなった場合は、該新着付箋の状態が変化したと検知することを特徴とする請求項１記載の情報処理装置である。
【００１２】
請求項７の発明は、前記検知手段は、前記新着付箋が前記台紙上で他の付箋と重なっていた状態から移動した場合は、該新着付箋の状態が変化したとは検知しないことを特徴とする請求項３記載の情報処理装置である。
【００１３】
請求項８の発明は、前記検知手段は、前記新着付箋が前記台紙上で他の付箋と共に位置関係を保った移動をした場合は、該新着付箋の状態が変化したとは検知しないことを特徴とする請求項３記載の情報処理装置である。
【００１４】
請求項９の発明は、前記検知手段は、請求項２から８の検知手法のうち２つ以上を組み合わせたことを特徴とする請求項１記載の情報処理装置である。
【００１５】
請求項１０の発明は、前記検知手段が、新着付箋の表示を非新着付箋の表示へと変更した後に、前記付箋の内容の変更を検知した場合、該付箋を前記グループから外した場合、又は該付箋を他の付箋と重ねた場合は、該付箋の状態が新着の状態へと変化したと検知し、前記変更手段は、前記検知手段が前記付箋の状態が新着の状態へと変化したと検知した場合は、前記付箋の非新着付箋の表示を新着付箋の表示に戻すことを特徴とする請求項１から９のいずれか１項に記載の情報処理装置である。
【００１６】
請求項１１の発明は、コンピュータを、台紙に貼り付ける付箋を示す付箋情報を受け付ける受付手段と、前記受付手段によって受け付けられた付箋情報を新着付箋として台紙上に表示する表示手段と、前記新着付箋の状態が変化したことを検知する検知手段と、前記検知手段によって変化が検知された新着付箋の表示を非新着付箋の表示へと変更させる変更手段として機能させるための情報処理プログラムである。
【発明の効果】
【００１７】
請求項１の情報処理装置によれば、台紙に付箋の貼り付けを行うと新着付箋としての表示を行う場合にあって、その新着付箋の状態が変化したにもかかわらず新着付箋としての表示を続けることを抑制することができる。
【００１８】
請求項２の情報処理装置によれば、新着付箋が受け付けられたときを起点とした経過時間が予め定められた値以上又はより大である場合は、その新着付箋の表示を非新着付箋の表示へと変更させることができる。
【００１９】
請求項３の情報処理装置によれば、新着付箋が台紙上で移動された場合は、その新着付箋の表示を非新着付箋の表示へと変更させることができる。
【００２０】
請求項４の情報処理装置によれば、新着付箋が台紙上で拡大され、元の大きさに戻された場合は、その新着付箋の表示を非新着付箋の表示へと変更させることができる。
【００２１】
請求項５の情報処理装置によれば、新着付箋が他の付箋とグループを形成した場合は、その新着付箋の表示を非新着付箋の表示へと変更させることができる。
【００２２】
請求項６の情報処理装置によれば、操作者の操作による付箋の移動速度又は付箋の選択の圧力を検知し、移動終了時の移動速度がそれまでの移動速度に比較して遅くなった場合、又は移動終了時の圧力がそれまでの圧力に比較して大きくなった場合は、その新着付箋の表示を非新着付箋の表示へと変更させることができる。
【００２３】
請求項７の情報処理装置によれば、新着付箋が台紙上で他の付箋と重なっていた状態から移動した場合は、その新着付箋の表示を変更させないようにすることができる。
【００２４】
請求項８の情報処理装置によれば、新着付箋が台紙上で他の付箋と共に位置関係を保った移動をした場合は、その新着付箋の表示を変更させないようにすることができる。
【００２５】
請求項９の情報処理装置によれば、検知手法のうち２つ以上を組み合わせることができる。
【００２６】
請求項１０の情報処理装置によれば、新着付箋の表示を非新着付箋の表示へと変更した後に、再度新着付箋の表示に変更することができる。
【００２７】
請求項１１の情報処理プログラムによれば、台紙に付箋の貼り付けを行うと新着付箋としての表示を行う場合にあって、その新着付箋の状態が変化したにもかかわらず新着付箋としての表示を続けることを抑制することができる。
【図面の簡単な説明】
【００２８】
【図１】本実施の形態の構成例についての概念的なモジュール構成図である。
【図２】本実施の形態を実現するにあたってのシステム構成例を示す説明図である。
【図３】本実施の形態が使用される会議室等の例を示す説明図である。
【図４】本実施の形態による共有画面の表示例を示す説明図である。
【図５】本実施の形態による処理例を示すフローチャートである。
【図６】本実施の形態による処理例を示すフローチャートである。
【図７】本実施の形態による処理例を示すフローチャートである。
【図８】付箋情報テーブルのデータ構造例を示す説明図である。
【図９】本実施の形態による処理例を示す説明図である。
【図１０】本実施の形態による処理例を示す説明図である。
【図１１】本実施の形態による処理例を示す説明図である。
【図１２】本実施の形態による処理例を示す説明図である。
【図１３】本実施の形態による処理例を示す説明図である。
【図１４】本実施の形態による処理例を示す説明図である。
【図１５】本実施の形態を実現するコンピュータのハードウェア構成例を示すブロック図である。
【発明を実施するための形態】
【００２９】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するの意である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態に応じて、又はそれまでの状況・状態に応じて定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００３０】
本実施の形態である情報処理装置の表示・配置装置１５０は、端末装置１００から送信されてきた付箋情報（電子付箋、電子カード等ともいわれる）を台紙上に貼り付けて表示するものであって、図１の例に示すように、通信モジュール１６０、新着付箋情報表示／解除モジュール１７０、付箋情報リスト記憶モジュール１７４、状態検知モジュール１８０、表示制御モジュール１９０を有している。また、表示・配置装置１５０に通信回線を介して接続されている端末装置１００は、受付モジュール１１０、通信モジュール１２０、付箋表示モジュール１３０を有している。この通信回線は、有線、無線を問わない。
表示・配置装置１５０は、付箋情報を用いて、ファシリテーター（一般的には一人）と複数人の参加者によって行われる会合（会議、アイデア抽出会、検討会等）で利用される。参加者は参加者用端末としての端末装置（端末装置１００等）を用いて、アイデア等が記載された付箋情報を作成する。一般的に、図２の例に示すように、端末装置１００として、端末装置１００ａ、端末装置１００ｂ、端末装置１００ｃ等（以下、代表して端末装置１００という）があり、端末装置１００は複数ある。そして、表示・配置装置１５０は、端末装置１００から付箋情報を受け取って、台紙上にその付箋情報による付箋を貼り付ける。ファシリテーターは表示・配置装置１５０の表示先である共有画面を用いて、その台紙上で、付箋の位置を決定又は変更したり、付箋をまとめたり（第１の付箋と第２の付箋を関連付けること、グループ形成等ともいわれる）、自らも付箋情報の作成等を行って、その会合を進行させる。なお、本実施の形態において、参加者には、ファシリテーターを含む。
【００３１】
端末装置１００は、例えば、タッチパネル方式の表示装置及び入力装置を有しており、参加者の指、ペン等を用いた操作を受け付けて、付箋情報の作成等が行われる。また、タッチパネル以外にも、キーボード、マウスを用いた入力、マイクを用いた音声入力、カメラを用いた画像入力等であってもよい。付箋情報は、カード型の情報を管理し得るデータ構造であればよく、その内容は、例えば、テキスト情報、手書き文字、図形等を示すベクトルデータ、音声情報、写真等の静止画像情報、動画情報等、又はこれらの組み合わせであってもよい。
受付モジュール１１０は、通信モジュール１２０、付箋表示モジュール１３０と接続されている。受付モジュール１１０は、付箋表示モジュール１３０が端末装置１００の表示装置に表示した付箋に対する参加者の操作、参加者が作成した付箋情報に関する情報を通信モジュール１２０、通信回線を介して表示・配置装置１５０に渡す。
【００３２】
通信モジュール１２０は、受付モジュール１１０、付箋表示モジュール１３０、表示・配置装置１５０の通信モジュール１６０と接続されている。通信モジュール１２０は、表示・配置装置１５０との通信を行い、受付モジュール１１０から渡された情報を表示・配置装置１５０へ送信する。また、表示・配置装置１５０から送信された情報を受信し、付箋表示モジュール１３０又は端末装置１００内の担当するモジュールに渡す。例えば、表示・配置装置１５０から台紙の画面情報（表示制御モジュール１９０によって表示される内容等）を受信し、端末装置１００の表示装置に表示する表示モジュールに渡すようにしてもよい。
付箋表示モジュール１３０は、受付モジュール１１０、通信モジュール１２０と接続されている。付箋表示モジュール１３０は、受付モジュール１１０が受け付けた付箋情報等、又は通信モジュール１２０が受信した表示・配置装置１５０によって表示されている台紙、付箋等を、端末装置１００の表示装置に表示する。
【００３３】
通信モジュール１６０は、新着付箋情報表示／解除モジュール１７０、端末装置１００の通信モジュール１２０と接続されている。通信モジュール１６０は、端末装置１００から送信された付箋情報（参加者が端末装置１００を用いて作成した付箋情報（識別情報、内容情報を含む））を受信する。また、表示制御モジュール１９０が作成した台紙の画面情報（表示制御モジュール１９０によって表示される内容等）等を、端末装置１００へ送信するようにしてもよい。なお、付箋情報とは、具体的な例として、図８を用いて後述する付箋情報テーブル８００が該当する。
【００３４】
新着付箋情報表示／解除モジュール１７０は、通信モジュール１６０、状態検知モジュール１８０、表示制御モジュール１９０と接続されている。新着付箋情報表示／解除モジュール１７０は、通信モジュール１６０が受信した付箋情報を受け付ける。ここでの付箋情報は、台紙に貼り付ける付箋を示す情報（電子データ）である。
そして、新着付箋情報表示／解除モジュール１７０は、受け付けられた付箋情報を新着付箋として台紙上に表示するように、表示制御モジュール１９０に対して指示を行う。なお、本実施の形態は、新着付箋を台紙上の予め定められた領域（新着付箋表示領域）に表示し、そこから移動させるようなものではない。新着付箋表示領域がある場合は、新着付箋表示領域内にある付箋は新着であることを示しているので、付箋自体を新着付箋として表示する必要がない。本実施の形態では、例えば、新着付箋を端末装置１００の操作者（若しくはファシリテーター）の操作によって指定された位置に表示する、又は新着付箋を台紙上のランダムな位置に表示する等するものであって、新着付箋がどれであるかが判別しにくいので、付箋自体を新着付箋として表示する。
また、新着付箋情報表示／解除モジュール１７０は、状態検知モジュール１８０によって変化が検知された新着付箋の表示を非新着付箋の表示へと変更させるように、表示制御モジュール１９０に対して指示を行う。もちろんのことながら、新着付箋の状態が変化したと検知されなかった場合は、その新着付箋の表示は変更させない（新着付箋の表示のままとする）。
【００３５】
状態検知モジュール１８０は、新着付箋情報表示／解除モジュール１７０と接続されている。状態検知モジュール１８０は、新着付箋の状態が変化したことを検知する。
例えば、状態検知モジュール１８０は、新着付箋が新着付箋情報表示／解除モジュール１７０（又は通信モジュール１６０）によって受け付けられたときを起点とした経過時間が予め定められた値以上又はより大である場合は、その新着付箋の状態が変化したと検知するようにしてもよい。新着付箋が新着付箋情報表示／解除モジュール１７０によって受け付けられた日時（年、月、日、秒、秒以下、又はこれらの組み合わせであってもよい）を記録し（後述する付箋情報テーブル８００の送信日時欄８４０）、そこから現在までの時間（経過時間）を測定して判断するものである。
【００３６】
例えば、状態検知モジュール１８０は、新着付箋が台紙上で移動された場合は、その新着付箋の状態が変化したと検知するようにしてもよい。台紙上での操作者の操作を検知し、その操作が移動であるか否かを判断するものである。
例えば、状態検知モジュール１８０は、新着付箋が台紙上で拡大され、元の大きさに戻された場合は、その新着付箋の状態が変化したと検知するようにしてもよい。台紙上での操作者の操作を検知し、その操作が拡大した後に、元の大きさに戻す操作であるか否かを判断するものである。ここで「拡大した後に、元の大きさに戻す操作」とは、いわゆる「取り上げ」動作が行われた場合である。「取り上げ」とは、その付箋に注意を向けさせるために行われるものであり、付箋を拡大し、それについて説明、討議等を行わせるようにするものである。そして、その説明、討議等が終了（つまり、「取り上げ」が終了）した後は、その付箋を元の大きさに戻すものである。「台紙上で拡大され」の操作の前に、拡大の対象となる付箋を選択する操作が行われてもよい。
【００３７】
例えば、状態検知モジュール１８０は、新着付箋が他の付箋とグループを形成した場合は、その新着付箋の状態が変化したと検知するようにしてもよい。台紙上での操作者の操作を検知し、その操作がグループ形成であるか否かを判断するものである。「新着付箋が他の付箋とグループを形成」とは、明示的なグループ化の他に、付箋が予め定められた値以上又はより大の密度（付箋の数が予め定められた単位範囲内に予め定められた数以上又はより大である状態）である領域内又はその領域の周辺に移動された場合を含む。
【００３８】
例えば、状態検知モジュール１８０は、操作者の操作による新着付箋の移動速度又は新着付箋の選択の圧力を検知し、移動終了時の移動速度がそれまでの移動速度に比較して遅くなった場合、又は移動終了時の圧力がそれまでの圧力に比較して大きくなった場合は、その新着付箋の状態が変化したと検知するようにしてもよい。台紙上での操作者の操作を検知し、その操作が移動であって、移動終了時における移動の速度（単位時間当たりの移動距離）とそれまでの移動速度を測定して、比較するものである。また、状態検知モジュール１８０は、圧力センサーを具備しており、台紙上での操作者の操作を検知し、その操作が移動であって、移動終了時における操作者の操作の圧力（一般的には、操作者の指が台紙を表示している表示・配置装置１５０の画面に押しつけている圧力）とそれまでの圧力を測定して、比較するものである。したがって、移動終了時の移動速度がそれまでの移動速度と同じ場合又は速くなった場合は、新着付箋としての表示のままとなる。この移動は、単なる移動、散乱させる程度の意図（最初の位置とは異なる位置であればよい程度の意図）がある移動にすぎない場合が多いからである。一方、移動終了時の移動速度がそれまでの移動速度に比較して遅くなった場合は、その移動先の位置に意図（その位置へ動かすべきであるという意図）を有している場合が多いからである。また、移動終了時の圧力がそれまでの圧力と同じ場合又は小さく（弱く）なった場合は、新着付箋としての表示のままとなる。この移動は、前述のように単なる移動にすぎない場合が多いからである。一方、移動終了時の圧力がそれまでの圧力に比較して大きくなった場合は、前述のようにその移動先の位置に意図を有している場合が多いからである。なお、移動終了時とは、移動が終了したときから過去方向へ予め定められた期間（例えば、０．ｘ秒）であってもよいし、全体の移動時間において予め定められた割合（例えば、ｘ％）の移動が終了したときから過去方向への期間であってもよい。
【００３９】
例えば、状態検知モジュール１８０は、新着付箋が台紙上で他の付箋と重なっていた状態から移動した場合は、その新着付箋の状態が変化したとは検知しないようにしてもよい。台紙上での操作者の操作を検知し、付箋同士が重なっているか否かを判断し、重なっている新着付箋が移動したか否かを判断するものである。付箋が重なっている場合は、隠れている付箋を見えるようにするための移動である場合が多いからである。この場合は、新着付箋が移動されているにもかかわらず、新着付箋の状態は変化していないとするものである。したがって、移動された新着付箋の表示は、元のまま（新着付箋としての表示のまま）である。「重なっていた場合」には、新着付箋が他の付箋の下にある場合、新着付箋が他の付箋の上にある場合のいずれであってもよい。また、全部の重なりであってもよいし、一部の重なりであってもよい。
【００４０】
例えば、状態検知モジュール１８０は、新着付箋が台紙上で他の付箋と共に位置関係を保った移動をした場合は、その新着付箋の状態が変化したとは検知しないようにしてもよい。台紙上での操作者の操作を検知し、新着付箋を含む複数の付箋を選択し、それらをそのまま移動させる操作であるか否かを判断するものである。複数の付箋をそのまま移動させる場合は、前述の単なる移動である場合が多いからである。この場合は、新着付箋が移動されているにもかかわらず、新着付箋の状態は変化していないとするものである。したがって、移動された新着付箋の表示は、元のまま（新着付箋としての表示のまま）である。
また、状態検知モジュール１８０は、前述した条件の組み合わせ（かつ（ＡＮＤ）、又は（ＯＲ）、否定（ＮＯＴ）等による論理演算）を満たす場合に、新着付箋の状態が変化したと検知する、又は新着付箋の状態が変化したとは検知しないようにしてもよい。
【００４１】
付箋情報リスト記憶モジュール１７４は、例えば、付箋情報テーブル８００を記憶している。図８は、付箋情報テーブル８００のデータ構造例を示す説明図である。付箋情報テーブル８００は、表示付箋情報欄８１０、位置欄８２０、サイズ欄８３０、送信日時欄８４０、関連付けられた最終日時欄８５０、表示付箋情報に対する操作欄８６０、操作された最終日時欄８７０、新着判断結果欄８８０を有している。表示付箋情報欄８１０は、付箋情報を記憶している。例えば、付箋情報として、文字データであるテキスト、写真等の画像データがある。位置欄８２０は、その付箋が表示される位置を記憶している。サイズ欄８３０は、その付箋の表示サイズを記憶している。例えば、表示する付箋が矩形である場合は、縦と横のサイズを記憶している。送信日時欄８４０は、その付箋が送信（又は受信）された日時を記憶している。関連付けられた最終日時欄８５０は、グループに関連付けされた最終日時を記憶している。表示付箋情報に対する操作欄８６０は、表示付箋に対する操作（例えば、移動、前述の「取り上げ」、削除等）を記憶している。操作された最終日時欄８７０は、その操作が行われた最終日時を記憶している。新着判断結果欄８８０は、その付箋は新着付箋であるか否かの判断結果を記憶している。
端末装置１００の受付モジュール１１０が、参加者の操作に応じて付箋情報テーブル８００を作成し、作成された付箋情報テーブル８００は表示・配置装置１５０に送信されて、通信モジュール１６０によって付箋情報リスト記憶モジュール１７４に記憶される。そして、通信モジュール１６０、新着付箋情報表示／解除モジュール１７０、状態検知モジュール１８０、表示制御モジュール１９０から書き込み、読み込みが行われる。
【００４２】
表示制御モジュール１９０は、新着付箋情報表示／解除モジュール１７０と接続されている。表示制御モジュール１９０は、共有画面に、台紙（背景としての白紙、座標系を示すためのｘｙ軸、ＳＷＯＴ分析で用いられるチャート、その他の模様等）とその台紙に貼り付けられた付箋情報を表示し、新着付箋情報表示／解除モジュール１７０による指示に従って、付箋を表示する。例えば、付箋情報を新着付箋として台紙上に表示し、又は、新着付箋の表示を非新着付箋の表示へと変更させる。新着付箋としての表示とは、台紙上に今までにはない付箋が登場したことを示すための表示であって、非新着付箋とは異なる形態（形状、模様、色彩若しくはこれらの結合又はこれらが動的に変化することを含む）であればよい。例えば、付箋の形状を楕円にする、付箋の周囲を太い点線で囲む、付箋の色を赤色にする、付箋をフラッシュ（アニメーションを含む）させる等がある。非新着付箋としての表示とは、既に新着付箋ではないことを示す表示であって、一般的な表示である。例えば、付箋の形状は矩形、付箋の周囲は実線等がある。なお、新着付箋の表示、非新着付箋の表示は、互いに区別が付けば、複数種類あってもよい。
【００４３】
図２は、本実施の形態を実現するにあたってのシステム構成例を示す説明図である。端末装置１００ａ、端末装置１００ｂ、端末装置１００ｃ、端末装置１００ｄ、端末装置１００ｚ等、表示・配置装置１５０は、通信回線２９９を介してそれぞれ接続されている。必ずしも、全ての装置が１つの部屋（会議室等）にある必要はないが、一般的には、参加者が用いる端末装置１００ａ等とファシリテーターが用いる表示・配置装置１５０は、同じ部屋にある。通信回線２９９は、有線回線であってもよいし、無線回線であってもよい。また、一般的には、各参加者は１台の端末装置１００を所持しており、表示・配置装置１５０は、主にファシリテーターによって操作される。
【００４４】
図３は、本実施の形態が使用される会議室等の例を示す説明図である。
図３（ａ）の例に示すように、会議室等内に、参加者３１１、３１２、ファシリテーター３２１が集まっている。参加者３１１は端末装置１００ａを利用し、参加者３１２は端末装置１００ｂを利用する。一般的に、端末装置（端末装置１００ａ等）は参加者一人に１個付与されており、図３（ｂ）の例に示す端末装置１００のように、ノート程度の大きさ（例えば、Ａ４、Ｂ５、７〜１０インチ等）であり、タブレット型の端末であり、指又はペン等を用いて操作されるものである。参加者によって、テキストデータ、手書きの文字、図形等が記載された付箋情報が作成される。なお、端末装置は、タブレット型の端末に限られず、キーボード、マウス等を備えたＰＣ等であってもよい。
表示・配置装置１５０ａは、プロジェクターであって、台紙を表示する。大型の画面（例えば、８０インチ等の大きさ）を備えたものであってもよい。また、表示・配置装置１５０ｂは、電子白板であって、ファシリテーター３２１の指又はペン等の動きを検知して、付箋を台紙に貼り付けること、付箋の移動、前述の「取り上げ」、付箋の関連付け（グループ化）を行うこと等の操作を受け付けるものである。例えば、表示・配置装置１５０ｂにペンが備えられており、そのペンが予め定められたペン置きから離れたこと（ファシリテーター３２１が操作するためにペンを持ち上げたこと）、そしてペンの先端の位置（ペン先端が表示・配置装置１５０ｂに触れたこと等）を検知することによって、台紙、付箋に対する操作を受け付ける。例えば、ペン置きにセンサー（ペンの重力でスイッチがオンオフとなるセンサー等）を設け、複数のペン（黒色のペン、赤色のペン、青色のペン等）のうち、どのペンが用いられているかを検知すればよい。また、表示・配置装置１５０ｂの表示画面全体がタッチセンサーであり、表示画面に触れられた位置、圧力を検知すればよい。
【００４５】
図４は、本実施の形態による共有画面４００の表示例を示す説明図である。共有画面４００は、図３（ａ）の例に示されている表示・配置装置１５０ｂに表示されているものである。
共有画面４００は、台紙領域４１０を有している。台紙領域４１０内には、一般的な付箋（図４内では、小さい長方形）の他に、それらの付箋を関連付けたグループ領域Ａ４２０、グループ領域Ｃ４４０、グループ領域Ｄ４５０、グループ領域Ｅ４６０、グループ領域Ｆ４７０が表示されている。そして、参加者であるファシリテーター３２１の操作に応じて、付箋を台紙領域４１０内で移動させる（例えば、他のグループに移動等）。
なお、グループの形成方法として、ファシリテーターによってグループ領域Ａ４２０の枠を書き込むような明示的な操作を検知し、その枠内にある付箋を同じグループとするようにしてもよい。また、付箋を移動させることによって発生した、付箋の存在が予め定められた値以上又はより大の密度となる領域を検知して、その領域にある付箋を同じグループとするようにしてもよい。
【００４６】
図５は、本実施の形態による処理例を示すフローチャートである。
ステップＳ５０２では、受付モジュール１１０が、参加者の操作によって作成された付箋情報を受け付ける。
ステップＳ５０４では、通信モジュール１２０が、付箋情報を表示・配置装置１５０へ送信する。
ステップＳ５０６では、通信モジュール１６０が、受付モジュール１１０から送信された付箋情報を受信する。
ステップＳ５０８では、新着付箋情報表示／解除モジュール１７０が、付箋情報を属性（作成者を示す作成者ＩＤ（ＩＤｅｎｔｉｆｉｃａｔｉｏｎ）、作成日時等）と共に付箋情報リスト記憶モジュール１７４に記憶させる。
【００４７】
図６は、本実施の形態による処理例（新着付箋表示処理例）を示すフローチャートである。
ステップＳ６０２では、新着付箋情報表示／解除モジュール１７０が、新着付箋情報であるか否かを判断し、新着付箋情報である場合はステップＳ６０４へ進み、それ以外の場合は処理を終了する（ステップＳ６９９）。例えば、付箋情報リスト記憶モジュール１７４内の付箋情報テーブル８００に新規に追加された付箋情報であるか否かを判断すればよい。
ステップＳ６０４では、表示制御モジュール１９０が、新着付箋情報表示／解除モジュール１７０の指示にしたがって、その付箋を新着付箋として表示する。
図７は、本実施の形態による処理例（新着付箋表示解除処理例）を示すフローチャートである。
ステップＳ７０２では、新着付箋情報表示／解除モジュール１７０が、状態検知モジュール１８０によって新着付箋の状態が変化したことを検知したか否かを判断し、検知した場合はステップＳ７０４へ進み、それ以外の場合は処理を終了する（ステップＳ７９９）。
ステップＳ７０４では、表示制御モジュール１９０が、新着付箋情報表示／解除モジュール１７０の指示にしたがって、その付箋について新着付箋としての表示を解除する。
【００４８】
図９は、本実施の形態による処理例（付箋の移動処理例）を示す説明図である。共有画面９００には、台紙９１０が表示される。そして、台紙９１０には、付箋（非新着）９２０、付箋（非新着）９２２、付箋（非新着）９２４、付箋（非新着）９２６、付箋（新着）９２８、付箋（新着）９３０、付箋（新着）９３２、付箋（新着）９３４ａが表示されている。付箋（新着）９２８等は、新着付箋としての表示として、太線の点線で囲まれた表示が行われている。ここで、ファシリテーターの移動操作９９０によって、付箋（新着）９３４ａを付箋（非新着）９３４ｂの位置へ移動する。状態検知モジュール１８０は、付箋（新着）９３４ａが台紙９１０上で移動されたことを検知し、これを付箋（新着）９３４ａの状態が変化したこととする。新着付箋情報表示／解除モジュール１７０は、付箋（新着）９３４ａを付箋（非新着）９３４ｂとして、新着付箋の表示を非新着付箋の表示（太線の点線では囲まれていない表示）へと変更させる。なお、単なる移動ではなく、予め定められた距離以上又はより大である場合に、付箋の状態が変化したと検知してもよい。
図１０は、本実施の形態による処理例（付箋の取り上げ処理例）を示す説明図である。図９の例に示す付箋（新着）９３４ａの状態から、ファシリテーターの取り上げ操作によって、付箋（新着）９３４ａを選択し、付箋（新着）９３４ａを拡大する。図１０（ａ）の例に示すように、付箋（新着）９３４ａを拡大した結果が付箋（新着）１０３４ａである。そして、付箋の取り上げが終わったら、拡大した状態から元の大きさに戻すとともに、図１０（ｂ）の例に示す付箋（非新着）１０３４ｂのように、新着付箋の表示を非新着付箋の表示（太線の点線では囲まれていない表示）へと変更させる。
【００４９】
図１１は、本実施の形態による処理例（グループ化処理例Ａ）を示す説明図である。ファシリテーターの移動操作１１９０によって、付箋（新着）１１３４ａを付箋（非新着）１１３４ｂの位置へ移動する。状態検知モジュール１８０は、付箋（新着）１１３４ａが台紙９１０上で移動されたことを検知し、移動先が付箋（非新着）１１５０、付箋（非新着）１１５２の近傍であることを検知する。移動先では、付箋（非新着）１１５０、付箋（非新着）１１５２が近傍にあり、その領域には３つの付箋（付箋（非新着）１１３４ｂ、付箋（非新着）１１５０、付箋（非新着）１１５２）が存在することになり、予め定められた値以上又はより大の密度となることから、この移動はグループの形成であると判断して、付箋（新着）１１３４ａの状態が変化したと検知する。移動先では、付箋（非新着）１１３４ｂを非新着付箋の表示とする。
図１２は、本実施の形態による処理例（グループ化処理例Ｂ）を示す説明図である。この例では、既に付箋（非新着）１２５２、付箋（非新着）１２５４をメンバーとするグループがある。ファシリテーターのグループ化操作１２９０によって、付箋（新着）１２３４ａをグループ領域内の付箋（非新着）１２３４ｂの位置へ移動する。状態検知モジュール１８０は、付箋（新着）１２３４ａが台紙９１０上で移動されたことを検知し、移動先がグループ領域内であることを検知する。したがって、付箋（非新着）１２３４ｂが他の付箋（付箋（非新着）１２５２、付箋（非新着）１２５４）とグループを形成したので、付箋（新着）１２３４ａの状態が変化したと検知する。移動先では、付箋（非新着）１２３４ｂを非新着付箋の表示とする。
【００５０】
図１３は、本実施の形態による処理例（複数付箋の移動処理例）を示す説明図である。ファシリテーターの平行移動操作１３９０によって、付箋（新着）１３２８ａ、付箋（新着）１３３０ａ、付箋（新着）１３３２ａ、付箋（新着）１３３４ａの複数の付箋を選択して、それぞれ付箋（新着）１３２８ｂ、付箋（新着）１３３０ｂ、付箋（新着）１３３２ｂ、付箋（新着）１３３４ｂの位置へ移動する。状態検知モジュール１８０は、付箋（新着）１３２８ａが台紙９１０上で移動されたことを検知するが、他の付箋（付箋（新着）１３３０ａ等）と共に位置関係を保った移動をしているので、新着付箋の状態が変化したとは検知しない。複数付箋の位置関係を保った移動処理としては、その複数付箋を選択した後に、最後に選択した付箋を移動させる操作を検知し、他の付箋も最後に選択した付箋との位置関係を保ったままで平行移動させる。
また、付箋同士が重なっている場合は、重なっていることによって付箋の内容が隠れている箇所を表示するために、ファシリテーターの操作によって付箋の移動が行われることがある。その重なっていた付箋を移動させた場合、その移動させた付箋が新着付箋であったとしても、新着付箋の状態が変化したとは検知しない。
図１４は、本実施の形態による処理例（付箋の移動処理例）を示す説明図である。ファシリテーターの移動操作１４９０によって、付箋（新着）１４３４ａを選択して、付箋（非新着）１４３４ｂの位置へ移動する。この場合、移動操作１４９０における移動終了時の移動速度がそれまでの移動速度に比較して遅くなった場合は、付箋（新着）１４３４ａの状態が変化したと検知する。また、移動操作１４９０における移動終了時の圧力がそれまでの圧力に比較して大きくなった場合は、付箋（新着）１４３４ａの状態が変化したと検知する。移動先では、付箋（非新着）１４３４ｂを非新着付箋の表示とする。また、移動操作１４９０における移動終了時の移動速度がそれまでの移動速度に比較して同じ又は速い場合は、付箋（新着）１４３４ａの状態が変化したとは検知しない。移動操作１４９０における移動終了時の圧力がそれまでの圧力に比較して同じ又は小さくなった場合は、付箋（新着）１４３４ａの状態が変化したとは検知しない。
【００５１】
なお、本実施の形態としてのプログラムが実行されるコンピュータのハードウェア構成は、図１５に例示するように、一般的なコンピュータであり、具体的にはパーソナルコンピュータ、サーバーとなり得るコンピュータ等である。つまり、具体例として、処理部（演算部）としてＣＰＵ１５０１を用い、記憶装置としてＲＡＭ１５０２、ＲＯＭ１５０３、ＨＤ１５０４を用いている。ＨＤ１５０４として、例えばハードディスクを用いてもよい。受付モジュール１１０、通信モジュール１２０、付箋表示モジュール１３０、通信モジュール１６０、新着付箋情報表示／解除モジュール１７０、状態検知モジュール１８０、表示制御モジュール１９０等のプログラムを実行するＣＰＵ１５０１と、そのプログラムやデータを記憶するＲＡＭ１５０２と、本コンピュータを起動するためのプログラム等が格納されているＲＯＭ１５０３と、補助記憶装置（フラッシュメモリ等であってもよい）であるＨＤ１５０４と、キーボード、マウス、タッチパネル等に対する利用者の操作に基づいてデータを受け付ける受付装置１５０６と、ＣＲＴ、液晶ディスプレイ等の出力装置１５０５と、ネットワークインタフェースカード等の通信ネットワークと接続するための通信回線インタフェース１５０７、そして、それらをつないでデータのやりとりをするためのバス１５０８により構成されている。これらのコンピュータが複数台互いにネットワークによって接続されていてもよい。
【００５２】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図１５に示すハードウェア構成は、１つの構成例を示すものであり、本実施の形態は、図１５に示す構成に限らず、本実施の形態において説明したモジュールを実行可能な構成であればよい。例えば、一部のモジュールを専用のハードウェア（例えばＡＳＩＣ等）で構成してもよく、一部のモジュールは外部のシステム内にあり通信回線で接続しているような形態でもよく、さらに図１５に示すシステムが複数互いに通信回線によって接続されていて互いに協調動作するようにしてもよい。また、特に、パーソナルコンピュータの他、情報家電、複写機、ファックス、スキャナ、プリンタ、複合機（スキャナ、プリンタ、複写機、ファックス等のいずれか２つ以上の機能を有している画像処理装置）などに組み込まれていてもよい。
【００５３】
前述の実施の形態においては、新着付箋を移動等させる操作を行った者はいずれの者であってもよい例を示したが、その新着付箋を作成した者と同じ者が移動等の操作を行った場合は、その新着付箋の状態が変化したとは検知しないこととしてもよい。例えば、新着付箋を送信した端末装置１００と同じ端末装置１００から、その新着付箋を移動させる操作が送信されてきた場合は、新着付箋の表示のままとする。また、新着付箋の属性として作成者ＩＤがあり、移動操作を行った操作者ＩＤを取得し、両者が異なった場合は、その新着付箋の状態が変化したと検知し、その新着付箋の表示を非新着付箋の表示へと変更させるが、一致した場合は、その新着付箋の状態が変化したとは検知しないで、新着付箋の表示のままとする。移動操作を行った操作者ＩＤの取得処理として、例えば、タッチパネル上に氏名を表示し、その氏名の領域がタッチされたならば、その後の操作を行う者は、その氏名（参加者ＩＤ）の者と判断してもよいし、各参加者が参加者ＩＤを記憶している近距離通信可能なＩＣカードを所持しており、表示・配置装置１５０はそのＩＣカードの読取装置を具備しており、表示・配置装置１５０に最も近い位置にいる参加者（例えば、読取信号が最も強い参加者ＩＤの参加者）が操作を行っている者として判断してもよい。
また、新着付箋の表示を解除するための条件のうち、移動操作又はグループの形成操作が行われた後に、その操作と逆の操作が行われた場合は、非新着付箋の表示へと変更された付箋を、再度新着付箋の表示へと変更してもよい。
また、状態検知モジュール１８０は、前述の検知手法のうち２つ以上を組み合わせてもよい。例えば、付箋を作成した端末装置１００の操作者が付箋位置を指定できる表示・配置装置１５０の場合は、最初から置きたい場所に追加されることがある。そのようなケースの場合は、常に経過時間での新着解除は有効にしておき、他の検知手法を組み合わせてもよい。つまり、付箋が受け付けられたときを起点とした経過時間が予め定められた値以上又はより大である場合、又は他の検知方法（付箋が台紙上で移動したことを検知）で、新着付箋の状態が変化したと検知された場合は、その新着付箋の表示を非新着付箋の表示へと変更させてもよい。
また、新着付箋の表示を非新着付箋の表示へと変更した後に、状態検知モジュール１８０が、付箋の内容の変更を検知した場合、その付箋をグループから外した場合（特に、グループの形成があったことによって新着付箋の表示から非新着付箋の表示にした場合の付箋にあって、そのグループから外した場合）、又はその付箋を他の付箋と重ねた場合は、その付箋の状態が新着の状態へと変化したと検知する。そして、新着付箋情報表示／解除モジュール１７０は、状態検知モジュール１８０が付箋の状態が新着の状態へと変化したと検知した場合は、その付箋の非新着付箋の表示を新着付箋の表示に戻すようにしてもよい。なお、状態検知モジュール１８０は、付箋内容の変更を検知した場合以外の場合は、次の制約を設けてもよい。１回目の新着付箋としての表示が行われてから、予め定められた期間以内に、その付箋をグループから外した場合、又はその付箋を他の付箋と重ねた場合は、その付箋の状態が新着の状態へと変化したと検知するようにしてもよい。その期間以降は、その付箋をグループから外す等があったとしても、その付箋の状態が新着の状態へと変化したとは検知しない。
【００５４】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、あるいは別個のプログラムと共に記録媒体に記録されていてもよい。また、複数の記録媒体に分割して
記録されていてもよい。また、圧縮や暗号化など、復元可能であればどのような態様で記録されていてもよい。
【符号の説明】
【００５５】
１００…端末装置
１１０…受付モジュール
１２０…通信モジュール
１３０…付箋表示モジュール
１５０…表示・配置装置
１６０…通信モジュール
１７０…新着付箋情報表示／解除モジュール
１７４…付箋情報リスト記憶モジュール
１８０…状態検知モジュール
１９０…表示制御モジュール
【図１】
2015087789.tif 000003
【図２】
2015087789.tif 000004
【図３】
2015087789.tif 000005
【図４】
2015087789.tif 000006
【図５】
2015087789.tif 000007
【図６】
2015087789.tif 000008
【図７】
2015087789.tif 000009
【図８】
2015087789.tif 000010
【図９】
2015087789.tif 000011
【図１０】
2015087789.tif 000012
【図１１】
2015087789.tif 000013
【図１２】
2015087789.tif 000014
【図１３】
2015087789.tif 000015
【図１４】
2015087789.tif 000016
【図１５】
2015087789.tif 000017